(57)【要約】【課題】安価な構成により街ゆく人の注目を大いに集めることができる看板を提供する。【解決手段】透明又は透光性部材を含む看板部１２を外側面に備える看板筐体１６と、前記看板筐体１６の内部に配置され、前記看板部１２に投光する回転灯と、を備える。【選択図】　　　　図１
2004078122.tif 000002
【特許請求の範囲】
【請求項１】
透明又は透光性部材を含む看板部を外側面に備える看板筐体と、
前記看板筐体の内部に配置され、前記看板部に投光する回転灯と、
を備えることを特徴とする看板。
【請求項２】
請求項１に記載の看板において、
前記看板筐体は、遮光性部材を含む遮光部を外側面にさらに備える、
ことを特徴とする看板。
【請求項３】
請求項１又は２に記載の看板において、
前記看板部に含まれる前記透明又は透光性部材に、遮光性シート及び透明又は透光性シートが貼付され、それらシートによって看板文字又は看板模様のうち少なくとも一方が表される、
ことを特徴とする看板。
【請求項４】
請求項１又は３のいずれかに記載の看板において、
前記看板筐体は、複数の前記看板部を外側面に備え、
前記回転灯は、前記複数の看板部のうち２以上に投光するよう配置される、
ことを特徴とする看板。
【請求項５】
請求項１乃至４のいずれかに記載の看板において、
前記看板筐体の内部に配置され、前記回転灯から発せられる光を反射させるための反射部材を備える、
ことを特徴とする看板。
【請求項６】
請求項５に記載の看板において、
前記反射部材は、前記回転灯から発せられる光を乱反射させるための乱反射板を含む、
ことを特徴とする看板。
【請求項７】
請求項１乃至６のいずれかに記載の看板において、
前記回転灯を支持する支持部材と、
前記支持部材を回転させる支持部材回転部と、
をさらに備えることを特徴とする看板。
【請求項８】
請求項７に記載の看板において、
前記支持部材は、中空の回転軸を備え、
前記回転灯の電源コードは、前記回転軸に挿通される、
ことを特徴とする看板。
【請求項９】
請求項１乃至８のいずれかに記載の看板において、
前記看板筐体は、透光性部材を含む投影部を外側面にさらに備え、
前記看板は、前記看板筐体の内部において前記投影部に離間して配置され、一部に開口が設けられた遮光板部をさらに備える、
ことを特徴とする看板。
【請求項１０】
請求項１乃至９のいずれかに記載の看板において、
一部に開口が設けられ、前記回転灯から発せられ前記開口から漏出する光を外部に投影するための遮光板部をさらに備える、
ことを特徴とする看板。
【請求項１１】
透光性部材を含む投影部を外側面に備える筐体と、
前記筐体の内部において前記投影部に離間して配置され、一部に開口が設けられた遮光板部と、
前記筐体の内部に配置され、前記遮光板部に投光する回転灯と、
を含むことを特徴とする看板。
【発明の詳細な説明】
【０００１】
【発明の属する技術分野】
本発明は看板に関し、特に、街ゆく人の注目を大いに集めることができる看板に関する。
【０００２】
【従来の技術】
ＬＥＤ素子を配列しておき、それらＬＥＤ素子をプログラムに従って点灯させ、看板文字や看板模様を映しだす電飾看板が知られている。かかる電飾看板によれば、看板文字や看板模様を人手によって描いただけの旧来の看板に比して、街ゆく人の注目を大いに集めることができる。
【０００３】
【発明が解決しようとする課題】
しかしながら上記電飾看板は、その複雑な構成により高価なものとならざるを得なかった。また、看板内容を変更するためにはプログラムの変更が必要であり、その運用に人的コストが掛かっていた。
【０００４】
本発明は上記課題に鑑みてなされたものであって、その目的は、安価な構成により街ゆく人の注目を大いに集めることができる看板を提供することにある。また、他の目的は、看板内容を容易に変更することができる看板を提供することにある。
【０００５】
【課題を解決するための手段】
上記課題を解決するために、本発明に係る看板は、透明又は透光性部材を含む看板部を外側面に備える看板筐体と、前記看板筐体の内部に配置され、前記看板部に投光する回転灯と、を備えることを特徴とする。本発明によれば、看板筐体の内部から看板部が回転灯によって照らされる。このため、安価な構成により動きのある看板とすることができ、街ゆく人の注目を大いに集めることができる。
【０００６】
なお、回転灯は、光の放射方向を旋回させることができるあらゆるタイプを採用することができる。例えば、回転灯の光源には白熱電球やハロゲン電球等の電球、ＬＥＤ素子、キセノン放電管等を採用できる。また、回転方式は、反射板の回転等による機械式であってもよいし、ＬＥＤの点灯制御等による電気式であってもよい。
【０００７】
また、前記看板筐体は、遮光性部材を含む遮光部を外側面にさらに備えるようにしてもよい。こうすれば、看板部をさらに目立たせることができる。
【０００８】
また、前記看板部に含まれる前記透明又は透光性部材に、遮光性シート及び透明又は透光性シートが貼付され、それらシートによって看板文字又は看板模様のうち少なくとも一方が表されるようにしてもよい。こうすれば、比較的簡単に看板文字や看板模様を表すことができる。特に、透光性シート及び透明又は遮光性シートを着脱可能に貼付すれば、看板内容を容易に変更することができるようになる。
【０００９】
また、前記看板筐体は、複数の前記看板部を外側面に備え、前記回転灯は、前記複数の看板部のうち２以上に投光するよう配置されるようにしてもよい。こうすれば、回転灯の光を有効利用できる。
【００１０】
なお、本発明に係る看板には複数の回転灯が備えられてもよい。また、各看板部に表される看板文字を回転灯の回転方向と一致させるようにすれば、各看板部に同じ方向の光が流れるようにできる。
【００１１】
また、前記看板筐体の内部に配置され、前記回転灯から発せられる光を反射させるための反射部材を備えるようにしてもよい。こうすれば、反射部材により反射される光によって看板部をさらに明るく照らすようにできる。
【００１２】
このとき、前記反射部材は、前記回転灯から発せられる光を乱反射させるための乱反射板を含むようにしてもよい。こうすれば、看板部の広い部分を反射光により照らすことができる。この場合、看板部は乱反射板による反射光によって全体的に明るく照らされ、さらに回転灯から発せられる直接光により照らされるので、看板部を全体的に明るくしつつ、動きのある看板とすることができる。
【００１３】
また、前記回転灯を支持する支持部材と、前記支持部材を回転させる支持部材回転部と、をさらに備えるようにしてもよい。こうすれば、回転灯から発せられる光を多方向に照らすことができる。
【００１４】
このとき、前記支持部材は、中空の回転軸を備え、前記回転灯の電源コードは、前記回転軸に挿通されるようにしてもよい。こうすれば、回転灯に好適に電源を供給することができる。なお、回転灯の電源コードを、回転軸と固定部のうちいずれか一方に導電性部材（例えばリング等）を設け、他方に該部材に摺動する接点を設けるようにすれば、電源コードの捩れを防止しつつ回転灯に電源を供給することができる。その他、回転部への給電には、スリップリング又は集電装置として提案されている各種技術を利用することができる。
【００１５】
また、前記看板筐体は、透光性部材を含む投影部を外側面にさらに備え、前記看板は、前記看板筐体の内部において前記投影部に離間して配置され、一部に開口が設けられた遮光板部をさらに備えるようにしてもよい。こうすれば、回転灯と遮光部に設けられた開口とによって形成される明暗が投影部に映しだされ、さらに人目を惹く看板とすることができる。このとき、遮光板部の開口は、例えば看板文字、看板模様、記号、キャラクター等の形に形成されてよい。
【００１６】
また、一部に開口が設けられ、前記回転灯から発せられ前記開口から漏出する光を外部に投影するための遮光板部をさらに備えるようにしてもよい。こうすれば、回転灯と遮光板に設けられた開口とによって形成される明暗が地面やビル壁に映しだされ、さらに人目を惹く看板とすることができる。
【００１７】
【発明の実施の形態】
以下、本発明の実施形態について図面に基づき詳細に説明する。
【００１８】
（実施形態１）
図１は、本発明の実施形態１に係る看板の外観を示す斜視図である。同図に示すように、この看板１０は直方体状に形成された看板筐体１６を備えており、該看板筐体１６の側面には、看板部１２と投影部１８とが設けられている。看板部１２は、透明部材（例えば透明アクリルパネルや透明ガラス）により形成されており、看板筐体１６の内部に配置された回転灯の光を外部に通すようになっている。この看板部１２は、そこに貼付される遮光性シート及び透明又は透光性シートを含んでおり、これにより看板文字や看板模様が表される。なお、看板部１２は、透明部材により形成されることが望ましいが、透光性部材（例えば半透明アクリルパネルや半透明ガラス）により形成されてもよい。
【００１９】
一方、投影部１８は、透光性部材により形成されており、看板筐体１６の内部に配置された回転灯の光が裏面から照射されるようになっている。この投影部１８は、例えば半透明アクリルパネルや半透明ガラスにより形成されてもよいし、透明アクリルパネルや透明ガラスに透光性部材、例えば半透明シート等を貼付して形成されてもよい。
【００２０】
これら看板部１２及び投影部１８は、図示しない背面にも設けられる。看板部１２及び投影部１８以外は、遮光性部材、例えば不透明アクリルパネル等によって形成されており、内部に配置される回転灯の光が看板部１２及び投影部１８以外の部分から漏出しないようにしている。また、看板筐体１６には、例えば鉄又はステンレス製の取付板１４が設けられており、これによりビルの袖に取り付けることができるようになっている。
【００２１】
図２は、看板筐体１６を示す斜視図である。同図に示すように看板筐体１６の正面には、看板部１２及び投影部１８が設けられている。また、看板筐体１６の背面にも、看板部１２及び投影部１８が同様にして設けられている。さらに、看板筐体１６の一側面には、当該看板１０をビルの袖等に取り付けるための取付板１４が設けられている。なお、同図では、説明のため看板部１２及び投影部１８をいずれも透明に描いているが、投光性を有する部材で形成してもよい。
【００２２】
また、看板筐体１６の底面には複数の開口２０が設けられており、遮光板として機能するようになっている。看板筐体１６の内部に配置される回転灯の光は、これら開口２０から筐体外に出て、地面やビル壁等に開口２０の形状（影像）が投影されるようになっている。開口２０は、例えば看板文字、看板模様、記号、キャラクター等の形状にて開設される。回転灯の光は、同回転灯の回転動作により放射方向が旋回するため、地面やビル壁等に映しだされた影像は移動することになる。こうして、本実施形態に係る看板１０によれば大いに人目を惹くことができる。
【００２３】
図３は、看板１０の内部構造を示す図である。同図では、看板筐体１６の形状を一点鎖線で表し、その内部構造を実線で表している。同図に示すように、看板筐体１６の内部には、底面に２つの直線蛍光灯２８が、それぞれ看板部１２に沿って取り付けられている。これら直線蛍光灯２８は、底面に取り付けられたソケット２２によって支持されている。同様に、上面にも２つの直線蛍光灯２８が、それぞれ投影部１８に沿って取り付けられている。これら直線蛍光灯２８は、上面に取り付けられたソケット２２によって支持されている。なお、直線蛍光灯２８の本数は増減してよく、また設けなくてもよい。
【００２４】
看板筐体１６の底面において、直線蛍光灯２８の間には２つの回転灯２４が設けられている。回転灯２４は、電球に隣接配置され、それぞれ椀状に形成された２枚の反射板２６を含んでおり、これら反射板２６が電動機によって回転されることにより、電球の光の放射方向を旋回させるようになっている。ここでは、各回転灯２４は回転灯支持台３０によって横置きされており、回転灯２４から放射される光は、看板部１２及び投影部１８を上下方向に移動するようになっている。すなわち、回転灯２４の回転軸は看板１０（看板部１２）の長手方向に一致するように設定されている。なお、ここでは２つの回転灯２４を別々の電動機によって回転駆動するようにしたが、共通の電動機によって回転駆動させるようにしてもよい。
【００２５】
また、回転灯は、光の放射方向を旋回させることができるあらゆるタイプを採用することができる。例えば、回転灯の光源には白熱電球やハロゲン電球等の電球、ＬＥＤ素子、キセノン放電管等を採用できる。また、回転方式は、反射板の回転等による機械式であってもよいし、ＬＥＤの点灯制御等による電気式であってもよい。
【００２６】
図４は、看板部１２に表される看板文字を示す図である。看板部１２は、上述ように透明部材によって形成されており、ここに看板文字を表すようカットされた遮光性シート及び透光性シートが貼付され、これにより看板部１２に看板文字が表されるようになっている。同図において、看板文字３２ｂの部分に透光性シートを貼付し、背景３２ａの部分に遮光性シートを貼付してもよいし、看板文字３２の部分に遮光性シートを貼付し、背景３２ａの部分に透光性シートを貼付してもよい。また、透光性シートを貼付する領域の全部又は一部に、透明シート（好ましくは色つき透明シート）を貼付してもよい。さらに、遮光性シートを貼付する領域の全部又は一部にも、透明シート（好ましくは色つき透明シート）を貼付してもよい。
【００２７】
図５は、看板筐体１６の断面図である。同図は、図２に示す切断線により看板筐体１６を切断して示したものである。同図に示すように、看板筐体１６の内部には、投影部１８に対向する位置に遮光板部３４が取り付けられている。遮光板部３４は、図６に斜視図が示されているように断面Ｌ字状の部材であり、例えば不透明アクリルパネル等の遮光性部材により形成されている。遮光板部３４は、投影部１８と平行する遮光板３４ａと、投影部１８の下側において看板筐体１６の内面に取り付けられる取付板３４ｂと、を垂直に連結した部材である。遮光板３４ａは、投影部１８と同程度の大きさを有しており、複数の開口３６が開設されている。これらの開口３６は、例えば看板文字、看板模様、記号、キャラクター等の形状にて開設される。看板筐体１６の内部には、上述のように回転灯２４が配置されるようになっているので、そこから放射される光は開口３６に照射され、投影部１８には開口３６の形状が映しだされるようになっている。この形状は、透光性部材によって形成されている投影部１８の表面からも確認できる。いわば、投影部１８と遮光板部３４と回転灯２４によって看板１０の一部に、灯籠が形成されているのである。回転灯２４は、上述のように光の放射方向を旋回させるので、投影部１８に映しだされる影像は回転灯２４の回転動作に応じて移動することになる。こうして、本実施形態に係る看板１０によれば大いに人目を惹くことができる。
【００２８】
以上説明した看板１０によれば、一部に透明又は透光性部材を含む看板部１２に内部から回転灯２４の光が照射されるので、安価な構成により動きのある、従って人目を惹く看板とすることができる。また、回転灯２４の光を、看板筐体１６の底面に設けられた開口２０から外部に出すようにしているので、開口２０の影像を地面（路面）やビル壁等に映しだすことができ、さらに人目を惹くことができる。また、回転灯２４を用いて、遮光板部３４に設けられた開口３６の形状を投影部１８に映しだすようにしているので、さらに人目を惹くことができる。
【００２９】
なお、上記看板１０は種々の変形が可能である。例えば、図７に示すように、２つの回転灯２４を看板筐体１６の底面に直立して配置し、光の放射方向を水平方向に設定してもよい。この場合、正面及び背面の看板部１０に表す看板文字をいずれも横書きとすれば、各面の看板文字に同方向に移動する光が照射されることになり、看板表示を好適なものとすることができる。
【００３０】
また、回転灯２４の配置は、図８に示すように底面に横置き（回転軸を長手方向に設定）としてもよいし、図９に示すように底面に縦置き（回転軸を鉛直方向に設定）としてもよい。さらに、図１０及び図１１に示すように、看板筐体１６の内部に、正面側と背面側とで内部空間を二分する乱反射板３８を取り付け、両空間に回転灯２４を設置してもよい。このとき、各回転灯２４は、図１０に示すように縦置きしてもよいし、図１１に示すように横置きしてもよい。また、乱反射板３８は、回転灯２４の光を乱反射させるものであり、例えば金属板等の光を反射する材料によって形成された波板等によって構成される。この構成によれば、看板部１２、投影部１８、開口２０等に回転灯２４の直接光だけでなく、乱反射板３８による反射光を当てることができる。このため、看板部１２、投影部１８、開口２０等に常時光を当てておくことができ、看板１０をさらに目立つものとすることができる。
【００３１】
また、乱反射板３８のような平板部材によって看板筐体１６の内部を区画する代わりに、図１２及び図１３に示されるように、屈曲形成された乱反射板３８ａによって看板筐体１６の内部を区画するようにしてもよい。こうすれば、看板１０の厚みを薄くすることができる。
【００３２】
なお、上記乱反射板３８，３８ａは本発明の必須構成ではなく、単に光を反射する部材（反射部材）によって区画壁が形成されてもよく、遮光性、透光性又は透明材料によって同区画壁が形成されてもよい。また、乱反射板３８，３８ａのような区画壁を設けなくてもよい。
【００３３】
さらに、看板１０は、他の広告宣伝部材と共に用いられてもよい。例えば、図１４に示すように基板４０に、看板１０と看板灯４２とを載置して、両者によって効果的な集客を図るようにしてもよい。このとき、基板４０には、開口２０が対向する部分に開口を設けるようにすることが望ましい。
【００３４】
また、図１１に示すようにして回転灯２４を看板筐体１６の内部に配置する場合には、図１５及び図１６に示すように、乱反射板３８の下側において底面から外部に垂下する外部投射板３１を取り付けるとともに、開口２０を正面側と背面側にそれぞれ設け、開口２０の影像が同外部投射板３１に映しだされるようにしても好適である。
【００３５】
さらに、看板部１０は、遮光性シート及び透明又は投光性シートを貼付して看板文字や看板模様を表すようにする代わりに、遮光性パネル及び透明又は投光性パネルを用いて看板文字や看板模様を表すようにしてもよい。
【００３６】
（実施形態２）
図１７は、本発明の実施形態２に係る看板の外観を示す斜視図である。また、図１８は、本発明の実施形態２に係る看板の内部構造を示す斜視図であり、看板筐体を取り外して内部構造を示す図である。また、図１９は、本発明の実施形態２に係る看板の縦断面図であり、図１７における切断線により看板を縦方向に切断して示す図である。さらに、図２０は、本発明の実施形態２に係る看板の看板筐体の構造を示す図であり、看板筐体の外側パネルを一点鎖線で示し、該外側パネルに取り付けられている内部部材を実線で示す図である。
【００３７】
まず、図１７に示すように、この看板５０では、アクリルパネル等によって角柱状に形成された看板筐体５１が、比較的薄型の基台５６に取り付けられている。基台５６は、例えば錘を内蔵することで、ある程度の重量を有しており、看板筐体５１を安定的に支持するようになっている。また、基台５６の裏面には４つの足車５８が取り付けられており、基台５６を転がして看板５０を移動させることができるようになっている。
【００３８】
看板筐体５１は、長方形の４側面にそれぞれ看板部５２及び投影部５４が設けられている。看板部５２は、実施形態１と同様、透明部材（例えば透明アクリルパネルや透明ガラス）により形成されており、看板筐体５１の内部に配置された回転灯の光を外部に出すようになっている。この看板部５２は、そこに貼付される遮光性シート及び透明又は透光性シートを含んでおり、これにより看板文字や看板模様が表される。看板部５２は、透明部材により形成されることが望ましいが、透光性部材（例えば半透明アクリルパネルや半透明ガラス）により形成されてもよい。
【００３９】
投影部５４も、実施形態１と同様、透光性部材により形成されており、看板筐体５１の内部に配置された回転灯の光が裏面から照射されるようになっている。
この投影部５４は、例えば半透明アクリルパネルや半透明ガラスにより形成されてもよいし、透明アクリルパネルや透明ガラスに透光性部材、例えば半透明シート等を貼付して形成されてもよい。
【００４０】
図１８に示すように、看板筐体５１の内部には複数の回転灯２４が配置されている。具体的には、看板筐体５１の内部には、投影部５４の下側において固定される回転灯台６３が備えられるようになっており、この回転灯台６３の一対角線上に２つの回転灯２４が載置されている。
【００４１】
また、回転灯台６３の中央には軸受６５が設けられ、さらに基台５６の上面中央にも軸受６６が設けられ、これら軸受６５，６６により回転フレーム６０（支持部材）が回転可能に軸支されるようになっている。
【００４２】
回転フレーム６０は、コの字状の部材を合体させた形状を有しており、各コの字部分に回転灯２４が取り付けられている。すなわち、回転フレーム６０は、細長い板状部材を垂直に４回ほど、最初の２回を同じ向きに、続く２回を逆向きに折り曲げてなり、該部材の一端から所定距離にわたる部分は回転軸固定板６０ｃとして、軸受６５により軸支された鉛直方向に延伸する回転軸６４に対して垂直に固定されている。この回転軸固定板６０ｃは水平に取り付けられており、そこには垂直方向に延伸する垂直支持板６０ａが続いており、該垂直支持板６０ａに回転灯２４が取り付けられている。回転灯２４は、その光源部分が回転フレーム６０の回転軸上に近づくように、望ましくは一致するようにして垂直支持板６０ａに取り付けられている。
【００４３】
垂直支持板６０ａには連結板６０ｂが続いており、さらに別の垂直支持板６０ａが続いている。この垂直支持板６０ａにも回転灯２４が同様にして取り付けられており、そこに続く水平配置された回転軸固定板６０ｃには回転軸６２が垂直に取り付けられている。回転軸６２は鉛直方向に延伸しており、基台５６の上面に設けられた軸受６６により軸支されている。なお、回転フレーム６０の形状は、以上説明したものに限らず、例えばコの字や口の字等、任意の形状としてよい。
【００４４】
基台５６の内部には、電動機を含む図示しない回転駆動機構が備えられており、回転フレーム６０を回転させるようになっている。一方、各回転灯２４も回転しながら、それぞれ上下方向に旋回する光を看板部５２や後述する遮光板部７１に照射するようになっている。このとき、各回転灯２４の電源コードは中空の回転軸６２に挿通され、軸受６６の位置まで取り出されている。軸受６６は、スリップリング又は集電装置として市販されている、固定部から回転部へ給電するための装置を含んで構成されており、該軸受６６において電源コードが捩れないようにして回転部（回転フレーム６０）と固定部（基台５６）とが電気的に接続されている。そして、このスリップリング又は集電装置を介して各回転灯２４に電力が供給されている。
【００４５】
看板筐体５１の内面は、図１９及び図２０に示されるように、各投影部５４を覆うようにして遮光板部６８が取り付けられている。遮光板部６８は投影部５４よりも大きめに形成された遮光板を含んでおり、該遮光板が投影部５４と所定距離だけ離間して平行配置されている。遮光板部６８に含まれる遮光板には開口６７が形成されている。開口６７は、例えば看板文字、看板模様、記号、キャラクター等の形状にされている。このように構成することで、回転灯台６３に載置された回転灯２４から発せられる光は遮光板部６８に照射され、開口６７の影像が投影部５４に映しだされるようになっている。この影像は投影部５４の表面からも確認可能であり、回転灯２４の回転動作に伴って水平方向に移動するようになっている。このため、この看板５０は大いに人目を惹くことができる。
【００４６】
また、看板筐体５１の内面には、看板部５２の下側に、基台５６の上面や地面（路面）に影像を投影させるための遮光板部７０が取り付けられている。遮光板部７０は、頂部を切り取った四角錐状にパネルを組み合わせてなり、側面には開口７１が設けられている。また、頂部には断面四角形の枠体６１が延設されている。そして、枠体６１は基台５６に載置されている。回転灯２４から発せられる光は遮光板部７０に照射され、開口７１による影像が基台５６の上面や地面に投影されるようになっている。この影像は回転灯２４の回転動作に伴って基台５６の上面や地面を移動するため、大いに人目を惹くことになる。
【００４７】
以上説明した看板５１によれば、基台５６内部に設けられた機構により回転フレーム６０が回転駆動され、且つ各回転灯２４も回転しながら光を照射するので、各看板部５２には内部から縦方向（上下方向）に移動する光が照射されるようになる。このため、透光性部材を含んで形成された各看板部５２を表側から見ると、明るい部分が上から下に又は下から上に移動して、大いに人目を惹くことができる。また、影像部５４には回転灯２４の回転動作に伴って移動する影像が表れるため、大いに人目を惹くことができる。さらに、回転フレーム６０に取り付けられた回転灯２４から発せられる光は遮光板部７０に照射され、それ故に開口７１の影像は基台５６の上面や地面に映しだされるので、大いに人目を惹くことができる。
【図面の簡単な説明】
【図１】本発明の実施形態１に係る看板の外観を示す斜視図である。
【図２】看板筐体の外観を示す斜視図である。
【図３】看板の内部構造を示す図である。
【図４】看板部に貼付される看板シートを示す平面図である。
【図５】看板筐体の断面図である。
【図６】投影用遮光板を示す斜視図である。
【図７】変形例に係る看板の内部構造を示す斜視図である。
【図８】回転灯の配置例を示す模式図である。
【図９】回転灯の配置例を示す模式図である。
【図１０】回転灯の配置例を示す模式図である。
【図１１】回転灯の配置例を示す模式図である。
【図１２】回転灯の配置例を示す模式図である。
【図１３】回転灯の配置例を示す模式図である。
【図１４】変形例に係る看板の外観を示す斜視図である。
【図１５】変形例に係る看板筐体の断面図である。
【図１６】変形例に係る看板の外観を示す斜視図である。
【図１７】本発明の実施形態２に係る看板の外観を示す斜視図である。
【図１８】看板の内部構造を示す斜視図である。
【図１９】看板の内部構造を示す縦断面図である。
【図２０】看板筐体の構造を示す斜視図である。
【符号の説明】
１０，５０　看板、１２，５２　看板部、１４，３４ｂ　取付板、１６，５１看板筐体、１８，５４　投影部、２０，３６，６７，７１　開口、２２　ソケット、２４　回転灯、２６　反射板、２８　直線蛍光灯、３０　回転灯支持台、３１　外部投影板、３２、３２ｂ　看板文字、３２ａ　背景、３４，６８，７０，７１　遮光板部、３４ａ　遮光板、３８，３８ａ　乱反射板、４０　基板、４２　看板灯５６　基台、５８　足車、６０　回転フレーム、６０ａ　垂直支持板、６０ｂ　連結板、６０ｃ　回転軸固定板、６１　枠体、６２，６４　回転軸、６３　回転灯台、６５，６６　軸受。
【図１】
2004078122.tif 000003
【図２】
2004078122.tif 000004
【図３】
2004078122.tif 000005
【図４】
2004078122.tif 000006
【図５】
2004078122.tif 000007
【図６】
2004078122.tif 000008
【図７】
2004078122.tif 000009
【図８】
2004078122.tif 000010
【図９】
2004078122.tif 000011
【図１０】
2004078122.tif 000012
【図１１】
2004078122.tif 000013
【図１２】
2004078122.tif 000014
【図１３】
2004078122.tif 000015
【図１４】
2004078122.tif 000016
【図１５】
2004078122.tif 000017
【図１６】
2004078122.tif 000018
【図１７】
2004078122.tif 000019
【図１８】
2004078122.tif 000020
【図１９】
2004078122.tif 000021
【図２０】
2004078122.tif 000022